(57)【要約】【課題】一点吊りによる吊り上げ支持で旋回操作するのではなく、間隔をあけリング状にした複数点で吊り上げ支持し、その状態で旋回操作するため、一点吊りの際には必要とされる吊り上げる際の重芯調整など微調整を行わなくともスムーズに旋回させることが出来るスライド式旋回装置を提供する。【解決手段】本発明は直線状に延出する支持部材に吊下され、支持部材の長手方向に移動可能に構成された走行部材と、前記走行部材に吊下されて連結され、長手方向が前記支持部材の長手方向と直交する様設けられた第２支持部材と、前記第２支持部材に吊下され、該第２支持部材の長手方向に移動できる様構成された第２走行部材と、前記第２走行部材に吊下されたリング状をなす第３支持部材と、該第３支持部材に吊下されて取り付けられ、前記第３支持部材の外周面に設けられたリング状ガイドレールに沿って移動できるよう構成された第３走行部材を備えたことを特徴とする。【選択図】  図１
2020169084.tif 000002
【特許請求の範囲】
【請求項１】
直線状に延出する支持部材に吊下され、支持部材の長手方向に移動可能に構成された走行部材と、
前記走行部材に吊下されて連結され、長手方向が前記支持部材の長手方向と直交する様設けられた第２支持部材と、
前記第２支持部材に吊下され、該第２支持部材の長手方向に移動できる様構成された第２走行部材と、
前記第２走行部材に吊下されたリング状をなす第３支持部材と、
該第３支持部材に吊下されて取り付けられ、前記第３支持部材の外周面に設けられたリング状レールに沿って移動できるよう構成された第３走行部材と、を備え、
前記第３走行部材に吊下された部材が、前記走行部材及び第２走行部材の長手方向に移動可能とされ、かつ第３走行部材のリング状外周面に沿って３６０°旋回移動可能とされた、
ことを特徴とするスライド式旋回装置。
【請求項２】
前記走行部材は、少なくとも２本以上設けられ、間隔をあけて平行に設けられた、
ことを特徴とする請求項１記載のスライド式旋回装置。
【発明の詳細な説明】
【技術分野】
【０００１】
本発明は、例えば、橋脚あるいは橋台の上に架設された主桁上にプレキャスト床版を吊り上げ移動して敷設し、あるいは既設のプレキャスト床版を剥がした後、それを吊り上げて運搬する際にも用いられるプレキャスト床版の敷設装置などに使用されるスライド式旋回装置に関するものである。
【０００２】
なお、本発明のスライド式旋回装置については、決してプレキャスト床版の敷設装置に使用される場合に限定されるものではない。吊り上げた部材を一点吊りによる吊り上げ支持で旋回操作するのではなく、間隔をあけ、リング状にした複数点で吊り上げ支持し、その状態で旋回操作できるため、一点吊りの際には必ず要求される吊り上げる際の吊り上げ部材重芯位置調整などを行わなくとも前記吊り上げた部材を安定的な水平状態でスムーズに旋回させることができる。よって、このような旋回作業が必要な場合であれば、いかなる作業装置にも使用できるものとなる。
【背景技術】
【０００３】
従来、プレキャスト床版の敷設装置は、例えば、垂直に立設された支持脚部と、その上部から水平に張り出す支持梁とを有して敷設装置の本体を形成し、前記水平に張り出した支持梁に移動式吊り上げ装置を取り付け、この移動式吊り上げ装置で新設すべきプレキャスト床版を吊り上げ、吊り上げたプレキャスト床版を橋梁の長手方向に向かって運搬し、所定位置で例えば9０度回転させて前記プレキャスト床版を橋梁の主桁上に敷設するものとしていた。
【先行技術文献】
【非特許文献】
【０００４】
【非特許文献１】社団法人プレストレスコンクリート建設業協会著「ＰＣ道路橋計画マニュアル」 平成元年１１月
【発明の概要】
【発明が解決しようとする課題】
【０００５】
ところで、従来、例えば、プレキャスト床版の新設工事においては、車両が通行していないため、新設橋梁において、幅方向両端の作業スペースが比較的広くとることができたが、プレキャスト床版の架け替え工事の場合には、車両を通行させている反対車線が接近している状況もあり、プレキャスト床版の架け替え工事が対向車線の通行などに影響を与えかねない状況があった。
【０００６】
また、プレキャスト床版の供給を運搬車両に乗せて運搬した後、前記移動式吊り上げ装置で吊り上げ、該移動式吊り上げ装置を所定位置で約９０°旋回させ、さらには橋梁の長手方向と直角をなす方向にも吊り上げたプレキャスト床版を敷設微調整のために移動できる作業がスムーズに行え、コンパクトな構造のスライド式旋回装置は創案されていないものであった。
【０００７】
かくして、本件発明は、前記の事情に鑑みて創案されたもので、簡便、安全、作業容易、かつ経済的な橋梁形成工事におけるプレキャスト床版の敷設装置などに使用され、一点吊りによる吊り上げ支持で旋回操作するのではなく、間隔をあけリング状にした複数点で吊り上げ支持し、その状態で旋回操作するため、一点吊りの際には必要とされる吊り上げる際の重芯調整など微調整を行わなくともスムーズに旋回させることが出来、かつ安価なコストで製造できるスライド式旋回装置を提供することを目的とするものである。
【０００８】
換言すれば、比較的長尺な吊り上げ部材の一点重心を捉えて旋回させるのではなく、例えばリング状に設けた複数の箇所で吊り上げ、もってアバウトに重心を予測して吊り上げ旋回を容易にできるようにしたものである。現場での実作業では、一点吊りの場合、吊り上げ部材の重心合わせにかなりの時間を要していた。
【課題を解決するための手段】
【０００９】
本発明によるプレキャスト床版の敷設装置に使用されるスライド式旋回装置は、
直線状に延出する支持部材に吊下され、支持部材の長手方向に移動可能に構成された走行部材と、
前記走行部材に吊下されて連結され、長手方向が前記支持部材の長手方向と直交する様設けられた第２支持部材と、
前記第２支持部材に吊下され、該第２支持部材の長手方向に移動できる様構成された第２走行部材と、
前記第２走行部材に吊下されたリング状をなす第３支持部材と、
該第３支持部材に吊下されて取り付けられ、前記第３支持部材の外周面に設けられたリング状ガイドレールに沿って移動できるよう構成された第３走行部材と、を備え、
前記第３走行部材に吊下された部材が、前記走行部材及び第２走行部材の長手方向に移動可能とされ、かつ第３走行部材のリング状外周面に沿って３６０°旋回移動可能とされた、
ことを特徴とし、
または、
前記走行部材は、少なくとも２本以上設けられ、間隔をあけて平行に設けられた、
ことを特徴とするものである。
【発明の効果】
【００１０】
本発明によるスライド式旋回装置であれば、簡便、安全、作業容易にして長尺のプレキャスト床版を移動出来ると共に、一点吊りによる吊り上げ支持で旋回操作するのではなく、間隔をあけリング状にした複数点で吊り上げ支持し、その状態で旋回操作するため、一点吊りの際には必要とされる吊り上げる際の重芯調整など微調整を行わなくともスムーズに、例えば９０°旋回させることが出来、かつ安価なコストで製造できる橋梁形成工事におけるプレキャスト床版などのスライド式旋回装置を提供できる。
【００１１】
さらには、旧橋におけるプレキャスト床版の撤去の場合に、該プレキャスト床版を分割して撤去するため、スライド式旋回装置を敷設装置の前方まで移動出来るように構成して、撤去するプレキャスト床版を吊り上げ可能とし、かつスライド式旋回装置を敷設装置の幅方向に移動可能に構成し、小割にした既設のプレキャスト床版を面倒な重芯位置決めをせずに吊り上げることが出来、その後旋回位置で例えば９０°旋回して吊り上げてあるプレキャスト床版の向きを変え、さらに、敷設装置の後方に移動して、撤去桁の取り外し作業を可能することもできる等優れた効果を奏する。
【発明を実施するための形態】
【００１２】
まず、本発明で使用する敷設装置１の構成につき図に示す実施例に基づいて説明する。
該敷設装置１は、図１に示すように、一対の縦フレーム２と一対の横フレーム３とで水平方向に配置され、略長方形状に枠組みされた上部フレーム４を有している。
【００１３】
そして、上部フレーム４の幅方向中間位置には、上部フレーム４の長手方向に向かって延出させてあり、例えば２本で一対となっているスライド式旋回装置６用の支持部材５が設けられている。
【００１４】
なお、このスライド式旋回装置６用の支持部材５の一端側、すなわち後方側にはカウンターウエイト１５が取り付けられる。このカウンターウエイト１５を取り付けてあることにより、敷設装置１の荷重が前方側に偏ることがなく、敷設作業中に該敷設装置１が前方側に倒れることがない様に工夫されている。
【００１５】
そして、スライド式旋回装置６用の支持部材５には、本発明のスライド式旋回装置６（図２、図３、図４参照）が支持部材５の長手方向に向かって移動可能に構成されて取り付けられる。
【００１６】
前記スライド式旋回装置６は、吊り上げる部材、例えば新設のプレキャスト床版１６を前記上部フレーム４の長手方向、すなわち新設のプレキャスト床版１６を敷設する前方側に移動させることができ、かつ移動させた後は、所定の旋回位置１７で水平方向に前記吊り上げてあるプレキャスト床版１６の旋回動作、すなわち例えば９０°回転させる作業がスムーズに行える様構成されている。
【００１７】
ここで、前記プレキャスト床版１６は前記支持部材５の長手方向と平行する方向にそのプレキャスト床版１６の長手方向が向いた状態で吊り上げられ、前方方向、すなわちプレキャスト床版１６の敷設位置、すなわち前方へ移動される。そして、前記旋回位置１７でプレキャスト床版１６の向きが９０°回転旋回される。９０°旋回されたプレキャスト床版１６は橋梁の橋面幅方向に架設され、順次敷設されていくものとなる。
【００１８】
ここで、スライド式旋回装置６の構成につき説明する。
前述したように、該スライド式旋回装置６は、前述する様に平行に延出する２本の支持部材５に係止し吊下されて取り付けられている。そして、スライド式旋回装置６は、支持部材５の長手方向に移動可能に構成された走行部材７を有している。走行部材７は、前記支持部材５に吊下されて取り付けられ、支持部材５の長手方向に移動できる車輪などを構成部品として構成されている。
【００１９】
図に示すように走行部材７は、１本の支持部材５の長手方向に間隔をあけて例えば２つ取り付けられており、もって一対の支持部材５には、この支持部材５の両側面に例えば４つの走行部材７が取り付けられている。しかし、この数に限定されるものではなく、４つ以上取り付けてもかまわない。
【００２０】
符号８は第２走行部材を示す。図から理解されるように、この第２走行部材８は前述した走行部材７の下側に連結された第２支持部材９に係止されて吊下され、この第２支持部材９の長手方向に移動できる構成とされている。
【００２１】
ここで、第２支持部材９は、支持部材５と直交する様にして走行部材７に吊下されて設けられており、もって、第２支持部材９に係止し吊下して取り付けられている第２走行部材８は、走行部材７の移動方向と直交する方向に移動できる様に取り付けられ構成されている。尚、第２走行部材８の構成は走行部材７の構成と略同様の構成として構わない。
【００２２】
また、図４に示すように、１本の第２支持部材９には、２つの第２走行部材８が長手方向に間隔をあけて取り付けられ、かつ２つの第２走行部材８はスライドジャッキ１０によって連結されている。そして、このスライドジャッキ１０は第２支持部材８の下端面が後述する第３支持部材１１の上端面に固着されており、もって、この固着された位置より第２支持部材８の長手方向左右に例えば約２００ミリ程度前記スライドジャッキ１０が作動すると、２つの第２走行部材８は第２支持部材８の長手方向左右に約２００ミリ程度移動できるよう構成されている。
【００２３】
また、図３、図４から理解できるように、第２走行部材８には、リング状をなす前述した第３支持部材１１が水平方向に広がるように吊下され、取り付けられている。そして、この第３支持部材１１には、第３走行部材１２が吊下して取り付けられており、前記第３走行部材１２はリング状をなす第３支持部材１１のリング外周面に沿って移動できるよう構成されている。尚、第３走行部材１２の構成も走行部材７や第２走行部材８の構成と略同様の構成とされている。
【００２４】
ここで、第３支持部材１１に吊下して取り付けられている第３走行部材１２は所定の間隔をあけて複数取り付けられている。本実施例では４つの第３走行部材１２が吊下して取り付けられ、４つの第３走行部材１２は所定の間隔を一定に保持すべく間隔保持部材１３によって接続されている。尚、第３走行部材１２の数は４つに限定されるものではない。
【００２５】
また、４つの第３走行部材１２にはそれぞれ吊り上げ保持具１４が取り付けられており、該吊り上げ保持具１４にプレキャスト床版１６などを固定して吊り上げ、移動や旋回作業などが行えるよう構成されている。
【００２６】
従って、従来のように、一点吊りによる吊り上げ支持で旋回操作するのではなく、間隔をあけリング状にした複数点で吊り上げ支持でき、その状態で旋回操作できるため、一点吊りの際には必要とされる吊り上げる際の吊り上げた部材の重芯調整など微調整を全く必要としない。
【００２７】
次に、本発明であるスライド式旋回装置６による使用状態につき説明する。
図１において、カウンターウエイト１５が取り付けられてある後方側までスライド式旋回装置６を移動させ、そこからプレキャスト床版１６を吊り上げる。
【００２８】
ここで、敷設される新設のプレキャスト床版１６は運搬車両などに載置されて運搬され、カウンターウエイト１５が取り付けられてある敷設装置１の後方側まで運ばれる。
運ばれたプレキャスト床版１６は前記吊り上げ保持具１４に連結されてスライド式旋回装置６によって吊り上げられる。
【００２９】
吊り上げられたプレキャスト床版１６は、スライド式旋回装置６の走行部材７によって図１に示す旋回位置１７まで、すなわち前方側へ移動される。旋回位置１７において、プレキャスト床版１６は９０°旋回される。この旋回作業はリング状をなす第３支持部材１１に吊下して取り付けられた第３走行部材１２がリング状に回転移動することにより行われる。
【００３０】
ここで本発明の特徴が発揮される。本発明は、一点吊りによる吊り上げ支持で旋回操作するのではなく、間隔をあけリング状にした複数点で吊り上げ支持でき、その状態で旋回操作できるため、一点吊りの際には必要とされる吊り上げる際の吊り上げた部材の重芯調整など微調整を全く必要としないのである。
【００３１】
しかして、９０°旋回したプレキャスト床版１６は橋面上の幅方向に、そのプレキャスト床版１６の長手方向が向くように架設されて敷設される。
【００３２】
その際、所定の敷設箇所において正確に敷設できるようプレキャスト床版１６を左右方向へ移動微調整をしなくてはならない場合がある。
そのため前記スライドジャッキ１０を操作し、吊り上げてあるプレキャスト床版１６を橋面の幅方向に移動微調整移動出来るように構成してある。
【００３３】
そして、移動微調整した後、橋梁の床面に前記プレキャスト床版１６は降ろされて敷設されるものとなる。その後、最初の位置、すなわちプレキャスト床版１６を吊り上げた位置まで前記スライド式旋回装置６を戻す。
【００３４】
その後の作業については、次に敷設すべきプレキャスト床版１６を吊り上げて先ほどの操作と同じ操作をして順次プレキャスト床版１６を敷設することになる。
【００３５】
ところで、本発明によるスライド式旋回装置６は、橋梁に敷設されてある既設のプレキャスト床版１６を剥がして吊り上げ、撤去する際にも使用することができる。
【００３６】
本発明のスライド式旋回装置６による既設のプレキャスト床版１６の撤去作業につき説明する。
図１に示すように、敷設装置１の上部フレーム４の最前方側まで本発明のスライド式旋回装置６は移動させることが出来る。
【００３７】
そして、このスライド式旋回装置６は、最大３６０°旋回させることが出来る。よって例えば、あらかじめ切断されて小割にされた既設のプレキャスト床版１６を吊り上げるべく、その小割にされたプレキャスト床版１６の長手方向中央位置まで横フレーム３の長手方向に向かってスライド式旋回装置６を移動させる。この移動は前述した様にスライドジャッキ１０を操作することによって行える。
【００３８】
その後、小割したプレキャスト床版１６を吊り上げ、スライド式旋回装置６は、吊り上げたままの状態で旋回位置１７まで移動する。この旋回位置１７において例えば時計廻りと反対の方向へ９０°旋回させる。
【００３９】
その後、吊り上げてあるプレキャスト床版１６を敷設装置１の長手方向と平行位置にして吊り上げたまま移動し、撤去用のプレキャスト床版１６を撤去用運搬車両に積み込む。
【００４０】
次に、また、同じ撤去作業をおこなって、既設のプレキャスト床版１６の撤去が行われる。すなわち、例えば、あらかじめ切断されて小割にされた既設のプレキャスト床版１６を本発明のスライド式旋回装置６で吊り上げるべく、その小割にされたプレキャスト床版１６の長手方向中央位置まで移動させる。その後、小割したプレキャスト床版１６を吊り上げて旋回位置１７まで移動する。この旋回位置１７で例えば、時計廻りと反対の方向へ９０°旋回させる。
【００４１】
その後、吊り上げてあるプレキャスト床版１６を敷設装置１の長手方向と平行位置にして吊り上げ移動を行う。
この吊り上げ移動は、カウンターウエイト１５が設けられた位置までおこなわれ、その位置で例えば運搬車両などに積み替えられるものとなる。
この撤去作業が順次繰り返えされて既設のプレキャスト床版１６の撤去作業は終了する。
【００４２】
しかして、前記の様に本発明のスライド式旋回装置６であれば、新設のプレキャスト床版１６の敷設作業のみならず、交換すべき既設のプレキャスト床版１６を橋梁面から剥がし、それを吊り上げて撤去する作業にも使用することができる。
しかも本発明によるスライド式旋回装置６によって敷設装置１の作業性、安定性を大幅に向上させることができるものとなる。
【図面の簡単な説明】
【００４３】
【図１】敷設装置の構成を説明する構成説明図である。
【図２】本発明によるスライド式旋回装置の構成を説明する構成説明図（その１）である。
【図３】本発明によるスライド式旋回装置の構成を説明する構成説明図（その２）である。
【図４】本発明によるスライド式旋回装置の構成を説明する構成説明図（その３）である。
【符号の説明】
【００４４】
１    敷設装置
２    縦フレーム
３    横フレーム
４    上部フレーム
５    支持部材
６    スライド式旋回装置
７    走行部材
８    第２走行部材
９    第２支持部材
１０  スライドジャッキ
１１  第３支持部材
１２  第３走行部材
１３  間隔保持部材
１４  吊り上げ保持具
１５  カウンターウエイト
１６  プレキャスト床版
１７  旋回位置
【図１】
2020169084.tif 000003
【図２】
2020169084.tif 000004
【図３】
2020169084.tif 000005
【図４】
2020169084.tif 000006